(57)【特許請求の範囲】
【請求項１】
ワイヤレスデバイスを動作させる方法であって、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定することと、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定することと、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信することと
を備える方法。
【請求項２】
前記第１の複数の同一リソースサブセットの各々は、前記第２の複数の同一リソースサブセットの各々とは異なる期間および異なる数のサブキャリアに広がっている、請求項１に記載の方法。
【請求項３】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項２に記載の方法。
【請求項４】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項１に記載の方法。
【請求項５】
前記第１または第２のピア発見リソースグルーピングを使用することを前記決定することは、
第１のしきい値よりも大きいサービング基地局までの経路損失または距離を前記ワイヤレスデバイスが有するときに、前記第１の複数の同一リソースサブセットにおけるリソースを使用することを決定することと、
第２のしきい値よりも小さい前記サービング基地局までの経路損失または距離を前記ワイヤレスデバイスが有するときに、前記第２の複数の同一リソースサブセットにおけるリソースを使用することを決定することと
を備える、請求項４に記載の方法。
【請求項６】
前記第１または第２のピア発見リソースグルーピングを使用することを前記決定することは、
第１のしきい値よりも小さい近隣基地局までの経路損失または距離を前記ワイヤレスデバイスが有するときに、前記第１の複数の同一リソースサブセットにおけるリソースを使用することを決定することと、
第２のしきい値よりも大きい前記近隣基地局までの経路損失または距離を前記ワイヤレスデバイスが有するときに、前記第２の複数の同一リソースサブセットにおけるリソースを使用することを決定することと
を備える、請求項４に記載の方法。
【請求項７】
ワイヤレス通信のための装置であって、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定するための手段と、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定するための手段と、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信するための手段と
を備える装置。
【請求項８】
前記第１の複数の同一リソースサブセットの各々は、前記第２の複数の同一リソースサブセットの各々とは異なる期間および異なる数のサブキャリアに広がっている、請求項７に記載の装置。
【請求項９】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項８に記載の装置。
【請求項１０】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項７に記載の装置。
【請求項１１】
前記第１または第２のピア発見リソースグルーピングを使用することを決定するための前記手段は、
第１のしきい値よりも大きいサービング基地局までの経路損失または距離を前記装置が有するときに、前記第１の複数の同一リソースサブセットにおけるリソースを使用することを決定し、
第２のしきい値よりも小さい前記サービング基地局までの経路損失または距離を前記装置が有するときに、前記第２の複数の同一リソースサブセットにおけるリソースを使用することを決定する
ように構成される、請求項１０に記載の装置。
【請求項１２】
前記第１または第２のピア発見リソースグルーピングを使用することを決定するための前記手段は、
第１のしきい値よりも小さい近隣基地局までの経路損失または距離を前記装置が有するときに、前記第１の複数の同一リソースサブセットにおけるリソースを使用することを決定し、
第２のしきい値よりも大きい前記近隣基地局までの経路損失または距離を前記装置が有するときに、前記第２の複数の同一リソースサブセットにおけるリソースを使用することを決定する
ように構成される、請求項１０に記載の装置。
【請求項１３】
ワイヤレス通信のための装置であって、
メモリと、
前記メモリに結合された少なくとも１つのプロセッサと、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定し、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定し、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信する
ように構成された処理システムと、
を備える装置。
【請求項１４】
前記第１の複数の同一リソースサブセットの各々は、前記第２の複数の同一リソースサブセットの各々とは異なる期間および異なる数のサブキャリアに広がっている、請求項１３に記載の装置。
【請求項１５】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項１４に記載の装置。
【請求項１６】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項１３に記載の装置。
【請求項１７】
前記第１または第２のピア発見リソースグルーピングを使用することを決定するために、前記処理システムは、
第１のしきい値よりも大きいサービング基地局までの経路損失または距離を前記装置が有するときに、前記第１の複数の同一リソースサブセットにおけるリソースを使用することを決定し、
第２のしきい値よりも小さい前記サービング基地局までの経路損失または距離を前記装置が有するときに、前記第２の複数の同一リソースサブセットにおけるリソースを使用することを決定する
ように構成される、請求項１６に記載の装置。
【請求項１８】
前記第１または第２のピア発見リソースグルーピングを使用することを決定するために、前記処理システムは、
第１のしきい値よりも小さい近隣基地局までの経路損失または距離を前記装置が有するときに、前記第１の複数の同一リソースサブセットにおけるリソースを使用することを決定し、
第２のしきい値よりも大きい前記近隣基地局までの経路損失または距離を前記装置が有するときに、前記第２の複数の同一リソースサブセットにおけるリソースを使用することを決定する
ように構成される、請求項１６に記載の装置。
【請求項１９】
ワイヤレスデバイスにおける非一時的コンピュータ可読記憶媒体であって、
ローカル基地局までの経路損失または距離がしきい値よりも大きい場合、前記ローカル基地局までの前記経路損失または前記距離のうちの１つに基づいて、複数のピア発見リソースグルーピングのうちの第１のピア発見リソースグルーピングを使用することを決定することと、前記ローカル基地局までの前記経路損失または前記距離が前記しきい値よりも小さい場合、前記ローカル基地局までの前記経路損失または前記距離のうちの１つに基づいて、複数のピア発見リソースグルーピングのうちの第２のピア発見リソースグルーピングを使用することを決定することと、前記第１のピア発見リソースグルーピングは、第１の複数の同一リソースサブセットを有し、前記第２のピア発見リソースグルーピングは、第２の複数の同一リソースサブセットを有し、前記第１の複数の同一リソースサブセットの各々は、前記第２の複数の同一リソースサブセットの各々とは異なる期間または異なる数のサブキャリアのうちの少なくとも１つに広がっている、
ここにおいて、前記第１のピア発見リソースグルーピングまたは前記第２のピア発見リソースグルーピングは、隣接基地局のリソースと重なる、
前記第１のピア発見リソースグルーピングまたは前記第２のピア発見リソースグルーピングのうちの前記決定された方の前記同一リソースサブセットのうちの１つのサブセット上でピア発見信号を送信することと
を行うためのコードを記憶した非一時的コンピュータ可読記憶媒体。
【請求項２０】
前記第１の複数の同一リソースサブセットの各々は、前記第２の複数の同一リソースサブセットの各々とは異なる期間および異なる数のサブキャリアに広がっている、請求項１９に記載の非一時的コンピュータ可読記憶媒体。
【請求項２１】
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、請求項２０に記載の非一時的コンピュータ可読記憶媒体。
【請求項２２】
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、請求項１９に記載の非一時的コンピュータ可読記憶媒体。
【請求項２３】
前記第１または第２のピア発見リソースグルーピングを使用することを前記決定することは、
第１のしきい値よりも大きいサービング基地局までの経路損失または距離を前記ワイヤレスデバイスが有するときに、前記第１の複数の同一リソースサブセットにおけるリソースを使用することを決定することと、
第２のしきい値よりも小さい前記サービング基地局までの経路損失または距離を前記ワイヤレスデバイスが有するときに、前記第２の複数の同一リソースサブセットにおけるリソースを使用することを決定することと
を備える、請求項２２に記載の非一時的コンピュータ可読記憶媒体。
【請求項２４】
前記第１または第２のピア発見リソースグルーピングを使用することを前記決定することは、
第１のしきい値よりも小さい近隣基地局までの経路損失または距離を前記ワイヤレスデバイスが有するときに、前記第１の複数の同一リソースサブセットにおけるリソースを使用することを決定することと、
第２のしきい値よりも大きい前記近隣基地局までの経路損失または距離を前記ワイヤレスデバイスが有するときに、前記第２の複数の同一リソースサブセットにおけるリソースを使用することを決定することと
を備える、請求項２２に記載の非一時的コンピュータ可読記憶媒体。
【発明の詳細な説明】
【技術分野】
【０００１】
本発明は、一般的に通信システムに関し、より具体的には、ワイヤレスワイドエリアネットワーク（ＷＷＡＮ）におけるピア発見干渉管理に関する。
【背景技術】
【０００２】
ＷＷＡＮでは、モバイル間のすべての通信が、ワイヤレスデバイスと基地局との間のアップリンク／ダウンリンクチャネルを経由する。互いの近傍にある２つの通信中のワイヤレスデバイスは、基地局を経由せずに直接通信することができる。そのような直接のピアツーピア通信により、新しいタイプのサービスが可能になり、かつ／または基地局上のトラフィック負荷が軽減され得る。
【０００３】
ピアツーピア通信を可能にするためには、互いの近傍にあるワイヤレスデバイスは、互いを発見できなければならない。ワイヤレスデバイスは、ピア発見信号を周期的に送信することによって、互いを発見することができる。ワイヤレスデバイスの存在は、そのワイヤレスデバイスからのピア発見信号を受信し復号することによって検出され得る。ＷＷＡＮ基地局は、ワイヤレスデバイスがピア発見信号を送信するための時間周波数リソースを確保することができる。割り振られる時間周波数リソースは、ダウンリンクおよび／またはアップリンクＷＷＡＮリソースと同時であり得る。
【０００４】
ピア発見の範囲を最大化するために、ワイヤレスデバイスは、最大電力でピア発見信号を送信し得る。最大電力でのピア発見信号の送信は、同じ時間／周波数リソースでスケジュールされている近隣セルにおけるＷＷＡＮ（または他の非ピア発見）通信への干渉を引き起こし得る。このシナリオは、隣接基地局がピア発見のための様々なリソースを確保するとき、および／またはサービング基地局と隣接基地局とが完全に同期してはいないときに生じ得る。ＷＷＡＮ通信への干渉は、送信電力を低減することによって低減され得る。しかしながら、送信電力を低減すると、ピア発見の範囲が縮小し、かつ／またはピア発見のレイテンシが増大する。したがって、ピア発見の範囲／レイテンシへの影響がより小さい、ピア発見信号の送信に起因するＷＷＡＮ通信への干渉を低減するための技法が必要である。
【発明の概要】
【０００５】
本開示の一態様では、ワイヤレスデバイスと、コンピュータプログラム製品と、装置とを動作させる方法が提供される。装置は、基地局までの経路損失または距離のうちの１つに基づいて、複数のピア発見リソースグルーピングのうちの１つのピア発見リソースグルーピングを使用することを決定する。複数のグルーピングは、第１の複数の同一リソースサブセットを有する第１のリソースグルーピングと、第２の複数の同一リソースサブセットを有する第２のリソースグルーピングとを含む。第１の複数の同一リソースサブセットの各々は、第２の複数の同一リソースサブセットの各々とは異なる期間または異なる数のサブキャリアのうちの少なくとも１つに広がっている。装置は、前記１つのピア発見リソースグルーピングの同一サブセットのうちの１つのサブセットでピア発見信号を送信する。
【０００６】
本開示の一態様では、基地局と、コンピュータプログラム製品と、装置とを動作させる方法が提供される。装置は、複数のワイヤレスデバイスの各々までの経路損失または距離を判断する。装置はワイヤレスデバイスに、判断された経路損失または距離に基づいてピア発見リソースを使用するようにワイヤレスデバイスに命令する情報を送信する。
【図面の簡単な説明】
【０００７】
【図１】処理システムを使用する装置のためのハードウェア実装形態の一例を示す図。
【図２】ワイヤレスピアツーピア通信システムの図。
【図３】ワイヤレスデバイス間のピアツーピア通信のための例示的な時間構造を示す図。
【図４】１つのグランドフレーム内のスーパーフレームの各フレーム内のチャネルを示す図。
【図５】諸チャネルの動作タイムラインとピア発見チャネルの構造とを示す図。
【図６】ローカル基地局の同時ピア発見およびＷＷＡＮリソースと近隣基地局の重なりリソースとを示す図。
【図７】第１の例示的な方法を示すための第１の図。
【図８】第１の例示的な方法を示すための第２の図。
【図９】第１の例示的な方法を示すための第３の図。
【図１０】第２の例示的な方法を示すための第１の図。
【図１１】第２の例示的な方法を示すための第２の図。
【図１２】ワイヤレスデバイスのワイヤレス通信の方法のフローチャート。
【図１３】ワイヤレスデバイスのワイヤレス通信の別の方法のフローチャート。
【図１４】ワイヤレスデバイスのワイヤレス通信のさらに別の方法のフローチャート。
【図１５】例示的なワイヤレスデバイス装置の機能を示す概念ブロック図。
【図１６】基地局のワイヤレス通信の方法のフローチャート。
【図１７】例示的な基地局装置の機能を示す概念ブロック図。
【発明を実施するための形態】
【０００８】
添付の図面に関して以下に示す発明を実施するための形態は、様々な構成について説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素がブロック図の形式で示される。
【０００９】
次に、様々な装置および方法に関して、通信システムのいくつかの態様が提示される。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の適切なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアは、コンピュータ可読媒体上に常駐し得る。コンピュータ可読媒体は、非一時的コンピュータ可読媒体であり得る。非一時的コンピュータ可読媒体には、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびに、コンピュータによってアクセスされ読み取られ得るソフトウェアおよび／または命令を記憶するための任意の他の適切な媒体が含まれる。コンピュータ可読媒体は、処理システム内に常駐するか、処理システムの外部にあるか、または処理システムを含む複数のエンティティにわたって分散され得る。コンピュータ可読媒体は、コンピュータプログラム製品内で具現化され得る。例として、コンピュータプログラム製品は、パッケージング材料中にコンピュータ可読媒体を含み得る。
【００１１】
したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、または命令もしくはデータ構造の形態の所望のプログラムコードを搬送もしく記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびＢｌｕｅ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。特定の適用例および全体的なシステムに課された全体的な設計制約に応じて、本開示全体にわたって提示される説明される機能がどのようにすれば最も良く実装されるかを、当業者は認識するだろう。
【００１２】
図１は、処理システム１１４を使用する装置１００のためのハードウェア実装形態の一例を示す概念図である。処理システム１１４は、バス１０２によって概略的に表されるバスアーキテクチャを用いて実装され得る。バス１０２は、処理システム１１４の具体的な適用例および全体的な設計制約に応じて、任意の数の相互接続バスとブリッジとを含み得る。バス１０２は、プロセッサ１０４によって概略的に表される１つまたは複数のプロセッサおよび／またはハードウェアモジュールと、コンピュータ可読媒体１０６によって概略的に表されるコンピュータ可読媒体とを含む様々な回路を互いにリンクする。バス１０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース１０８は、バス１０２とトランシーバ１１０との間のインターフェースを提供する。トランシーバ１１０は、伝送媒体を介して様々な他の装置と通信するための手段を提供する。
【００１３】
プロセッサ１０４は、バス１０２を管理することと、コンピュータ可読媒体１０６に記憶されたソフトウェアの実行を含む一般的な処理とを担当する。ソフトウェアは、プロセッサ１０４によって実行されると、処理システム１１４に、任意の特定の装置のための以下で説明される様々な機能を実行させる。コンピュータ可読媒体１０６はまた、ソフトウェアを実行するときにプロセッサ１０４によって操作されるデータを記憶するために使用され得る。
【００１４】
図２は、例示的なピアツーピア通信システム２００の図である。ピアツーピア通信システム２００は、複数のワイヤレスデバイス２０６、２０８、２１０、２１２を含む。ピアツーピア通信システム２００は、たとえば、ワイヤレスワイドエリアネットワーク（ＷＷＡＮ）などのセルラー通信システムと重なり得る。ワイヤレスデバイス２０６、２０８、２１０、２１２の一部はピアツーピア通信において互いに通信し、一部は基地局２０４と通信し、一部は両方を行い得る。たとえば、図２に示すように、ワイヤレスデバイス２０６、２０８はピアツーピア通信中であり、ワイヤレスデバイス２１０、２１２はピアツーピア通信中である。ワイヤレスデバイス２１２は基地局２０４とも通信している。
【００１５】
ワイヤレスデバイスは、代替的に、当業者によって、ユーザ機器、移動局、加入者局、モバイルユニット、加入者ユニット、ワイヤレスユニット、ワイヤレスノード、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。基地局は、代替的に、当業者によって、アクセスポイント、送受信基地局、無線基地局、無線トランシーバ、トランシーバ機能、基本サービスセット（ＢＳＳ）、拡張サービスセット（ＥＳＳ）、ノードＢ、発展型ノードＢ、または何らかの他の適切な用語で呼ばれる場合がある。
【００１６】
以下に記載される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ、またはＩＥＥＥ８０２．１１規格に基づくＷｉ−Ｆｉ（登録商標）に基づくワイヤレスピアツーピア通信システムなどの様々なワイヤレスピアツーピア通信システムのいずれにも適用可能である。説明を簡略化するために、例示的な方法および装置はＦｌａｓｈＬｉｎＱの文脈内で説明される。しかしながら、例示的な方法および装置は、より一般的に、様々な他のワイヤレスピアツーピア通信システムに適用可能であることを当業者は理解されよう。
【００１７】
図３は、ワイヤレスデバイス１００間のピアツーピア通信のための例示的な時間構造を示す図３００である。ウルトラフレームは５１２秒であり、６４個のメガフレームを含む。各メガフレームは８秒であり、８個のグランドフレームを含む。各グランドフレームは１秒であり、１５個のスーパーフレームを含む。各スーパーフレームは約６６．６７ミリ秒であり、３２個のフレームを含む。各フレームは２．０８３３ミリ秒である。
【００１８】
図４は、１つのグランドフレーム内のスーパーフレームの各フレーム内のチャネルを示す図３１０である。（インデックス０付きの）第１のスーパーフレーム内では、フレーム０は予約済みチャネル（ＲＣＨ）であり、フレーム１〜１０は各々諸チャネル（ＭＣＣＨ）であり、フレーム１１〜３１は各々トラフィックチャネル（ＴＣＣＨ）である。（インデックス１：６付きの）第２〜第７のスーパーフレーム内では、フレーム０はＲＣＨであり、フレーム１〜３１は各々ＴＣＣＨである。（インデックス７付きの）第８のスーパーフレーム内では、フレーム０はＲＣＨであり、フレーム１〜１０は各々ＭＣＣＨであり、フレーム１１〜３１は各々ＴＣＣＨである。（インデックス８：１４付きの）第９〜第１５のスーパーフレーム内では、フレーム０はＲＣＨであり、フレーム１〜３１は各々ＴＣＣＨである。スーパーフレームインデックス０のＭＣＣＨは、二次タイミング同期チャネルと、ピア発見チャネルと、ピアページチャネルと、予約済みスロットとを含む。スーパーフレームインデックス７のＭＣＣＨは、ピアページチャネルと予約済みスロットとを含む。ＴＣＣＨは、接続スケジューリングと、パイロットと、チャネル品質インジケータ（ＣＱＩ）フィードバックと、データセグメントと、肯定応答（ＡＣＫ）とを含む。
【００１９】
図５は、ＭＣＣＨの動作タイムラインとピア発見チャネルの例示的な構造とを示す図３２０である。図４に関して説明されたように、スーパーフレームインデックス０のＭＣＣＨは、二次タイミング同期チャネルと、ピア発見チャネルと、ピアページングチャネルと、予約済みスロットとを含む。ピア発見チャネルはサブチャネルに分割することができる。たとえば、ピア発見チャネルは、長距離ピア発見チャネルと、中距離ピア発見チャネルと、短距離ピア発見チャネルと、他のチャネルとに分割することができる。サブチャネルの各々は、ピア発見情報を通信するための複数のブロック／リソースを含むことができる。各ブロックは、同じサブキャリアにおいて複数の直交周波数分割多重（ＯＦＤＭ）シンボル（たとえば、７２個）を含み得る。図５は、グランドフレーム０〜７のＭＣＣＨスーパーフレームインデックス０を含む１つのメガフレーム内のブロックを含むサブチャネル（たとえば、短距離ピア発見チャネル）の一例を提供する。様々なセットのブロックは、様々なピア発見リソース識別子（ＰＤＲＩＤ）に対応する。たとえば、１つのＰＤＲＩＤは、メガフレーム内の１つのグランドフレームのＭＣＣＨスーパーフレームインデックス０内のブロックのうちの１つに対応することができる。
【００２０】
電源投入すると、ワイヤレスデバイスは、ある期間（たとえば、２つのメガフレーム）の間ピア発見チャネルをリッスンし、ＰＤＲＩＤの各々で判断されたエネルギーに基づいてＰＤＲＩＤを選択する。たとえば、ワイヤレスデバイスは、ウルトラフレームの第１のメガフレーム内のブロック３２２（ｉ＝２およびｊ＝１５）に対応するＰＤＲＩＤを選択することができる。特定のＰＤＲＩＤは、ホッピングに起因して、ウルトラフレームの他のメガフレーム内の他のブロックにマッピングすることができる。選択されたＰＤＲＩＤに関連付けられたブロック内では、ワイヤレスデバイスはそのピア発見信号を送信する。選択されたＰＤＲＩＤに関連付けられていないブロック内では、ワイヤレスデバイスは、他のワイヤレスデバイスによって送信されたピア発見信号をリッスンする。
【００２１】
ワイヤレスデバイスはまた、ワイヤレスデバイスがＰＤＲＩＤ衝突を検出した場合に、ＰＤＲＩＤを再選択し得る。すなわち、ワイヤレスデバイスは、それのＰＤＲＩＤに対応するピア発見リソース上のエネルギーを検出するために、それの利用可能なピア発見リソース上で送信するのではなく、リッスンし得る。ワイヤレスデバイスはまた、他のＰＤＲＩＤに対応する他のピア発見リソース上のエネルギーを検出し得る。ワイヤレスデバイスは、それのＰＤＲＩＤに対応するピア発見リソース上の判断されたエネルギーと、他のＰＤＲＩＤに対応する他のピア発見リソース上の検出されたエネルギーとに基づいてＰＤＲＩＤを再選択し得る。
【００２２】
図６は、ローカル基地局の同時ピア発見およびＷＷＡＮリソースと近隣基地局の重なりリソースとを示す図３８０である。図６に示すように、ＷＷＡＮリソースは、ピア発見リソースと同時であり得る。ローカル基地局（たとえば、サービング基地局）のピア発見リソース３８２が、（たとえば、様々なリソース、完全に同期してはいないリソースを割り振っている）隣接基地局によって割り振られたＷＷＡＮリソース３９２と重なっているとき、ピア発見リソース３８２で送信されるピア発見信号は、近隣基地局の重なり部分で生じるＷＷＡＮ通信への干渉を引き起こし得る。したがって、ピア発見信号の送信によって引き起こされるＷＷＡＮ干渉を低減するための方法が必要である。
【００２３】
図７は、第１の例示的な方法を示すための第１の図４００である。近隣基地局４０４へのＷＷＡＮ干渉を低減する１つの方法は、所与の瞬間において引き起こされる最大干渉を低減することである。最大干渉は、どのワイヤレスデバイスがそれらのピア発見信号を同時に送信するかを制御することを通じて低減され得る。例示的な方法によれば、基地局４０２は、ワイヤレスデバイス１、２、３、４の各々までの経路損失または距離を判断し、ワイヤレスデバイス１〜４に、判断された経路損失または距離に基づいてピア発見リソースを使用するようにワイヤレスデバイス１〜４に命令する情報を送信する。基地局４０２は、しきい値よりも小さい経路損失または距離を有するワイヤレスデバイス２、４に割り振られるリソースおよびしきい値よりも大きい経路損失または距離を有するワイヤレスデバイス１、３に割り振られるリソースが、ピア発見リソースの時間同時リソースの各セットにわたってほぼ均等に分散されるように、ワイヤレスデバイス１〜４へのピア発見リソースの割振りを分散する。図７に示すように、基地局４０２は、ワイヤレスデバイス２、３がピア発見信号を同時に送信し、ワイヤレスデバイス１、４がピア発見信号を同時に送信するように、ピア発見リソースの割振りを分散する。セルエッジに近いワイヤレスデバイス１、３およびセル中心に近いワイヤレスデバイス２、４のためにピア発見リソースの割振りを分散することによって、ワイヤレスデバイス１、３によるピア発見信号の同時送信が回避され得る。ワイヤレスデバイス１、３によるピア発見信号の同時送信は、基地局４０４のＷＷＡＮ通信への干渉を最大化するので、回避されるべきである。
【００２４】
図８は、第１の例示的な方法を示すための第２の図５００である。上記で説明したように、基地局４０２は、ワイヤレスデバイス１〜４の各々までの経路損失または距離を判断することができる。経路損失または距離に基づいて、基地局４０２は、ピア発見信号の同時送信に起因する近隣基地局４０４へのＷＷＡＮ干渉を低減するために、ピア発見のためのリソースを割り振ることができる。図８に示すように、基地局４０２は、ワイヤレスデバイス３にブロック０，０、ワイヤレスデバイス２にブロック１，０、ワイヤレスデバイス４にブロック０，１、ワイヤレスデバイス１にブロック１，１を割り振ることによって、グランドフレーム０のブロックｉ，ｊ（ｉ＝０，１およびｊ＝０，１）を割り振ることができる。前述の割振りを通じて、基地局４０２までの経路損失がより高く、距離がより大きいワイヤレスデバイス１、３は、基地局４０２までの経路損失がより低く、距離がより小さいワイヤレスデバイス２、４とともに同時リソースを割り振られ得る。
【００２５】
図９は、第１の例示的な方法を示すための第３の図６００である。例示的な方法によれば、基地局４０２は、ワイヤレスデバイス１〜６の経路損失または距離を判断する。ワイヤレスデバイス１、３の各々までの経路損失が１００ｄＢであり、ワイヤレスデバイス２、４、５、６の各々までの経路損失が１０ｄＢであると仮定する。基地局４０２は、しきい値よりも小さい経路損失を有するワイヤレスデバイス２、４、５、６に割り振られるリソースおよびしきい値よりも大きい経路損失を有するワイヤレスデバイス１、３に割り振られるリソースが、ピア発見リソースの時間同時リソースの各セットにわたってほぼ均等に分散されるように、ワイヤレスデバイス１〜６へのピア発見リソースの割振りを分散する。基地局４０２は、同時リソースの各セットの経路損失（またはピア発見リソースを割り振るために距離が使用される場合は距離）を合計して、同時リソースにわたって最大値の最小化または最小値の最大化のうちの少なくとも１つが実現されるようにすることによって、ピア発見リソースの割振りを分散することができる。たとえば、同時リソースの各セットの経路損失または距離を合計し、同時リソースにわたって合計の重み付け合計（合計が大きくなるのに伴って、重みも大きくなる）を最小化することによって、ピア発見リソースの割振りを分散するための他の方法も可能である。たとえば、６０ｄＢよりも小さい合計が重み１で重み付けされ、６０ｄＢ〜１２０ｄＢの合計が重み２で重み付けされ、１２０ｄＢよりも大きい合計が重み４で重み付けされる場合、合計Ｓ＝１１０×２＋１１０×２＋２０が合計Ｓ＝２００×４＋２０＋２０よりも小さいので、図６５０に示す分散に対応する分散が、図６８０に示す分散に対応する分散に優先して選択され得る。
【００２６】
図１０は、第２の例示的な方法を示すための図７００である。第２の例示的な方法によれば、ピア発見リソースは、時間的に並行するリソースのグループに分割され得る。ワイヤレスデバイスは、基地局までのそれらの距離または経路損失に基づいて、それらのピア発見信号を送信する際のピア発見リソースのグループを選択することができる。グループは互いに並行するので、所与の瞬間における最大干渉が制御され得る。たとえば、セルエッジの近くにあるワイヤレスデバイスは、ピア発見リソース７０３で送信することができ、基地局の近くにあるワイヤレスデバイスは、ピア発見リソース７０５で送信することができる。この反対も可能であり、したがって、セルエッジの近くにあるワイヤレスデバイスは、ピア発見リソース７０５で送信することができ、基地局の近くにあるワイヤレスデバイスは、ピア発見リソース７０３で送信することができる。ピア発見リソース７０３は、ピア発見リソース７０５よりも多くのトーン／サブキャリアとピア発見リソース７０５よりも少ないＯＦＤＭシンボルとを有する。第２の例示的な方法を通じて、ピア発見信号を同時に送信するワイヤレスデバイスは、同時に送信するワイヤレスデバイスの数を抑制しつつ制御され得る。したがって、ワイヤレスデバイスは、近隣基地局のＷＷＡＮ通信に引き起こす干渉を制御することができる。第２の例示的な方法の欠点として、ピア発見リソース７０３においてピア発見信号を送信するワイヤレスデバイスは、同じＯＦＤＭシンボルにおいてトーン／サブキャリアにわたって送信電力が拡散される（すなわち、任意の１つのリソース要素において使用される送信電力の量がより低い）ので、ピア発見リソース７０５においてピア発見信号を送信するワイヤレスデバイスと比較して、ピア発見範囲の損失に直面する。しかしながら、本方法は、ピア発見範囲の減少および／またはピア発見のレイテンシの減少を、ピア発見信号の送信のために総送信電力が低減される場合よりも小さくすることができる。
【００２７】
したがって、第２の例示的な方法によれば、ワイヤレスデバイスは、基地局までの経路損失または距離のうちの１つに基づいて、複数のピア発見リソースグルーピング７０２、７０４のうちの１つのピア発見リソースグルーピング（７０２または７０４）を使用することを決定する。複数のグルーピング７０２、７０４は、第１の複数の同一リソースサブセット７０３を有する第１のリソースグルーピング７０２と、第２の複数の同一リソースサブセット７０５を有する第２のリソースグルーピング７０４とを含む。第１の複数の同一リソースサブセット７０３の各々は、第２の複数の同一リソースサブセット７０５の各々とは異なる期間（すなわち、ＯＦＤＭシンボル）または異なる数のサブキャリアのうちの少なくとも１つに広がっている。さらに、ワイヤレスデバイスは、前記１つのピア発見リソースグルーピングの同一サブセットのうちの１つのサブセットでピア発見信号を送信する。
【００２８】
図１１は、第２の例示的な方法を示すための第２の図８００である。図１１に示すように、ワイヤレスデバイス１は、ピア発見リソース８０２を使用することを決定することができ、ワイヤレスデバイス３は、ピア発見リソース８０３を使用することを決定することができ、ワイヤレスデバイス２は、ピア発見リソース８０５を使用することを決定することができ、ワイヤレスデバイス４は、ピア発見リソース８０６を使用することを決定することができる。ピア発見リソース８０２、８０３はそれぞれ、４個のサブキャリアと１８個のＯＦＤＭシンボルとを含む。ピア発見リソース８０５、８０６はそれぞれ、２個のサブキャリアと３６個のＯＦＤＭシンボルとを含む。セルエッジにより近く、基地局からより遠いワイヤレスデバイス１、３は、サブキャリアの数がより多く、ＯＦＤＭシンボルの数がより少ないピア発見リソースに割り当てられる。セルエッジからより遠く、基地局により近いワイヤレスデバイス２、４は、サブキャリアの数がより少なく、ＯＦＤＭシンボルの数がより多いピア発見リソースに割り当てられる。
【００２９】
第２の例示的な方法によれば、ワイヤレスデバイス１は、基地局までの経路損失または距離のうちの１つに基づいて、複数のピア発見リソースグルーピング８０４、８０７のうちの１つのピア発見リソースグルーピング８０４を使用することを決定する。複数のグルーピング８０４、８０７は、第１の複数の同一リソースサブセット８０２、８０３を有する第１のリソースグルーピング８０４と、第２の複数の同一リソースサブセット８０５、８０６を有する第２のリソースグルーピング８０７とを含む。第１の複数の同一リソースサブセット８０２、８０３の各々は、第２の複数の同一リソースサブセット８０５、８０６の各々とは異なる期間（すなわち、ＯＦＤＭシンボル）または異なる数のサブキャリアのうちの少なくとも１つに広がっている。ワイヤレスデバイス１は、１つのピア発見リソースグルーピング８０４の同一サブセット８０２、８０３のうちの１つのサブセット８０２でピア発見信号を送信する。
【００３０】
図１１に示すように、第１の複数の同一リソースサブセット８０２、８０３の各々は、第２の複数の同一リソースサブセット８０５、８０６の各々とは異なる期間および異なる数のサブキャリアに広がっている。第１の複数の同一リソースサブセット８０２、８０３の各々は、第１の期間（すなわち、ＯＦＤＭシンボル）（たとえば、１８個のＯＦＤＭシンボル）および第１の数のサブキャリア（たとえば、４個のサブキャリア）に広がっており、第２の複数の同一リソースサブセット８０５、８０６の各々は、第２の期間（すなわち、ＯＦＤＭシンボル）（たとえば、３６個のＯＦＤＭシンボル）および第２の数のサブキャリア（たとえば、２個のサブキャリア）に広がっている。第１の期間は第２の期間よりも短く（すなわち、１８個のＯＦＤＭシンボル＜３６個のＯＦＤＭシンボル）、第１の数のサブキャリアは第２の数のサブキャリアよりも多い（すなわち、４個のサブキャリア＞２個のサブキャリア）。第１の複数の同一リソースサブセット８０２、８０３の各々は、第２の複数の同一リソースサブセット８０５、８０６の各々とは異なる数のサブキャリアに広がっている。第１の複数の同一リソースサブセット８０２、８０３の各々は、第１の数のサブキャリア（たとえば、４個のサブキャリア）に広がっており、第２の複数の同一リソースサブセット８０５、８０６の各々は、第２の数のサブキャリア（たとえば、２個のサブキャリア）に広がっている。第１の数のサブキャリアは第２の数のサブキャリアよりも多い（すなわち、４個のサブキャリア＞２個のサブキャリア）。
【００３１】
一構成では、ワイヤレスデバイス１〜４の各々は、ゼロよりも大きい第１のしきい値よりも大きいサービング基地局までの経路損失または距離をワイヤレスデバイスが有するときに、第１の複数の同一リソースサブセット８０２、８０３におけるリソースを使用することを決定することによって、また、ゼロよりも大きい第２のしきい値よりも小さいサービング基地局までの経路損失または距離をワイヤレスデバイスが有するときに、第２の複数の同一リソースサブセット８０５、８０６におけるリソースを使用することを決定することによって、ピア発見リソースグルーピングを使用することを決定する。
【００３２】
別の構成では、ワイヤレスデバイス１〜４の各々は、ゼロよりも大きい第１のしきい値よりも小さい近隣基地局までの経路損失または距離をワイヤレスデバイスが有するときに、第１の複数の同一リソースサブセット８０２、８０３におけるリソースを使用することを決定することによって、また、ゼロよりも大きい第２のしきい値よりも大きい近隣基地局までの経路損失または距離をワイヤレスデバイスが有するときに、第２の複数の同一リソースサブセット８０５、８０６におけるリソースを使用することを決定することによって、ピア発見リソースグルーピングを使用することを決定する。そのような構成では、ワイヤレスデバイス２、４は、ピア発見リソース８０４に割り当てられてよく、ワイヤレスデバイス１、３は、ピア発見リソース８０７に割り当てられてよい。
【００３３】
図１２は、ワイヤレスデバイスのワイヤレス通信の方法のフローチャート１２００である。本方法によれば、ワイヤレスデバイスは、基地局までの経路損失または距離のうちの１つに基づいて、複数のピア発見リソースグルーピングのうちの１つのピア発見リソースグルーピングを使用することを決定する（１２０２）。複数のグルーピングは、第１の複数の同一リソースサブセットを有する第１のリソースグルーピングと、第２の複数の同一リソースサブセットを有する第２のリソースグルーピングとを含む。第１の複数の同一リソースサブセットの各々は、第２の複数の同一リソースサブセットの各々とは異なる期間または異なる数のサブキャリアのうちの少なくとも１つに広がっている。さらに、ワイヤレスデバイスは、前記１つのピア発見リソースグルーピングの同一サブセットのうちの１つのサブセットでピア発見信号を送信する（１２０４）。
【００３４】
一構成では、第１の複数の同一リソースサブセットの各々は、第２の複数の同一リソースサブセットの各々とは異なる期間および異なる数のサブキャリアに広がっている。一構成では、第１の複数の同一リソースサブセットの各々は、第１の期間および第１の数のサブキャリアに広がっており、第２の複数の同一リソースサブセットの各々は、第２の期間および第２の数のサブキャリアに広がっている。第１の期間は第２の期間よりも短く、第１の数のサブキャリアは第２の数のサブキャリアよりも多い。一構成では、第１の複数の同一リソースサブセットの各々は、第２の複数の同一リソースサブセットの各々とは異なる数のサブキャリアに広がっており、第１の複数の同一リソースサブセットの各々は、第１の数のサブキャリアに広がっており、第２の複数の同一リソースサブセットの各々は、第２の数のサブキャリアに広がっており、第１の数のサブキャリアは、第２の数のサブキャリアよりも多い。
【００３５】
図１３は、ワイヤレスデバイスのワイヤレス通信の別の方法のフローチャート１３００である。本方法によれば、ワイヤレスデバイスは、第１のしきい値よりも大きいサービング基地局までの経路損失または距離をワイヤレスデバイスが有するときに、第１の複数の同一リソースサブセットにおけるリソースを使用することを決定する（１３０２）ことによって、また、第２のしきい値よりも小さいサービング基地局までの経路損失または距離をワイヤレスデバイスが有するときに、第２の複数の同一リソースサブセットにおけるリソースを使用することを決定する（１３０４）ことによって、１つのピア発見リソースグルーピングを使用することを決定する（１２０２）。
【００３６】
図１４は、ワイヤレスデバイスのワイヤレス通信のさらに別の方法のフローチャート１４００である。本方法によれば、ワイヤレスデバイスは、第１のしきい値よりも小さい近隣基地局までの経路損失または距離をワイヤレスデバイスが有するときに、第１の複数の同一リソースサブセットにおけるリソースを使用することを決定する（１４０２）ことによって、また、第２のしきい値よりも大きい近隣基地局までの経路損失または距離をワイヤレスデバイスが有するときに、第２の複数の同一リソースサブセットにおけるリソースを使用することを決定する（１４０４）ことによって、１つのピア発見リソースグルーピングを使用することを決定する（１２０２）。
【００３７】
図１５は、例示的なワイヤレスデバイス装置１００の機能を示す概念ブロック図１５００である。装置１００は、基地局までの経路損失または距離のうちの１つに基づいて、複数のピア発見リソースグルーピングのうちの１つのピア発見リソースグルーピングを使用することを決定するピア発見リソース決定モジュール１５０２を含む。複数のグルーピングは、第１の複数の同一リソースサブセットを有する第１のリソースグルーピングと、第２の複数の同一リソースサブセットを有する第２のリソースグルーピングとを含む。第１の複数の同一リソースサブセットの各々は、第２の複数の同一リソースサブセットの各々とは異なる期間または異なる数のサブキャリアのうちの少なくとも１つに広がっている。装置１００は、１つのピア発見リソースグルーピングの同一サブセットのうちの１つのサブセットでピア発見信号１５０６を送信するピア発見信号送信モジュール１５０４をさらに含む。装置１００は、前述の図１２、図１３、図１４のフローチャート中のステップの各々を実行する追加のモジュールを含み得る。したがって、前述の図１２、図１３、図１４のフローチャート中の各ステップは、１つのモジュールによって実行され得、装置１００は、それらのモジュールのうちの１つまたは複数を含み得る。
【００３８】
図１６は、基地局のワイヤレス通信の方法のフローチャート１６００である。本方法によれば、基地局は、複数のワイヤレスデバイスの各々までの経路損失または距離を判断する（１６０２）。さらに、基地局はワイヤレスデバイスに、判断された経路損失または距離に基づいてピア発見リソースを使用するようにワイヤレスデバイスに命令する情報を送信する（１６０６）。基地局はまた、しきい値よりも小さい経路損失または距離を有するワイヤレスデバイスに割り振られるリソースおよびしきい値よりも大きい経路損失または距離を有するワイヤレスデバイスに割り振られるリソースが、ピア発見リソースの時間同時リソースの各セットにわたってほぼ均等に分散されるように、ワイヤレスデバイスへのピア発見リソースの割振りを分散する（１６０４）ことができる。
【００３９】
図１７は、例示的な基地局装置１００の機能を示す概念ブロック図１７００である。装置１００は、複数のワイヤレスデバイスの各々までの経路損失または距離を判断する経路損失または距離判断モジュール１７０２を含む。装置１００は、ワイヤレスデバイス（たとえば、ワイヤレスデバイス１７０８）に、判断された経路損失または距離に基づいてピア発見リソースを使用するようにワイヤレスデバイスに命令する情報１７１０を送信する送信モジュール１７０６をさらに含む。装置１００は、しきい値よりも小さい経路損失または距離を有するワイヤレスデバイスに割り振られるリソースおよびしきい値よりも大きい経路損失または距離を有するワイヤレスデバイスに割り振られるリソースが、ピア発見リソースの時間同時リソースの各セットにわたってほぼ均等に分散されるように、ワイヤレスデバイスへのピア発見リソースの割振りを分散するピア発見リソース割振りモジュール１７０４をさらに含むことができる。装置１００は、前述の図１６のフローチャート中のステップの各々を実行する追加のモジュールを含み得る。したがって、前述の図１６のフローチャート中の各ステップは、１つのモジュールによって実行され得、装置１００は、それらのモジュールのうちの１つまたは複数を含み得る。
【００４０】
図１および図１５を参照すると、一構成では、ワイヤレス通信のための装置１００は、基地局までの経路損失または距離のうちの１つに基づいて、複数のピア発見リソースグルーピングのうちの１つのピア発見リソースグルーピングを使用することを決定するための手段を含む。複数のグルーピングは、第１の複数の同一リソースサブセットを有する第１のリソースグルーピングと、第２の複数の同一リソースサブセットを有する第２のリソースグルーピングとを含む。第１の複数の同一リソースサブセットの各々は、第２の複数の同一リソースサブセットの各々とは異なる期間または異なる数のサブキャリアのうちの少なくとも１つに広がっている。装置１００は、前記１つのピア発見リソースグルーピングの同一サブセットのうちの１つのサブセットでピア発見信号を送信するための手段をさらに含む。前述の手段は、図１の処理システム１１４、または前述の手段によって列挙された機能を実行するように構成される図１５のモジュールのうちの１つもしくは複数である。
【００４１】
図１および図１７を参照すると、一構成では、ワイヤレス通信のための装置１００は、複数のワイヤレスデバイスの各々までの経路損失または距離を判断するための手段と、ワイヤレスデバイスに、判断された経路損失または距離に基づいてピア発見リソースを使用するようにワイヤレスデバイスに命令する情報を送信するための手段とを含む。装置１００は、しきい値よりも小さい経路損失または距離を有するワイヤレスデバイスに割り振られるリソースおよびしきい値よりも大きい経路損失または距離を有するワイヤレスデバイスに割り振られるリソースが、ピア発見リソースの時間同時リソースの各セットにわたってほぼ均等に分散されるように、ワイヤレスデバイスへのピア発見リソースの割振りを分散するための手段をさらに含むことができる。装置１００は、同時リソースの各セットの経路損失と距離とを合計して、同時リソースにわたって最大値の最小化または最小値の最大化のうちの少なくとも１つが実現されるようにするための手段をさらに含むことができる。前述の手段は、図１の処理システム１１４、または前述の手段によって列挙された機能を実行するように構成される図１７のモジュールのうちの１つもしくは複数であってよい。
【００４２】
開示したプロセスにおけるステップの特定の順序または階層は、例示的な手法の一例であることを理解されたい。設計上の選好に基づいて、プロセスにおけるステップの特定の順序または階層は並べ替えることができることが理解されよう。添付の方法クレームは、様々なステップの要素を例示的な順序で提示したものであり、提示された特定の順序または階層に限定されるものではない。
【００４３】
以上の説明は、当業者が本明細書で説明した様々な態様を実行できるようにするために提供したものである。これらの態様に対する様々な変更は当業者には容易に明らかであり、本明細書で定義した一般的原理は他の態様に適用することができる。したがって、特許請求の範囲は、本明細書に示された態様に限定されるものではなく、言語的主張に矛盾しない最大限の範囲を与えられるべきであり、単数形の要素への言及は、明確にそう明記されていない限り、「ただ１つの」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
[Ｃ１]
ワイヤレスデバイスを動作させる方法であって、
基地局までの経路損失または距離のうちの１つに基づいて、複数のピア発見リソースグルーピングのうちの１つのピア発見リソースグルーピングを使用することを決定することであって、前記複数のグルーピングは、第１の複数の同一リソースサブセットを有する第１のリソースグルーピングと、第２の複数の同一リソースサブセットを有する第２のリソースグルーピングとを備え、前記第１の複数の同一リソースサブセットの各々は、前記第２の複数の同一リソースサブセットの各々とは異なる期間または異なる数のサブキャリアのうちの少なくとも１つに広がっている、ことと、
前記１つのピア発見リソースグルーピングの前記同一サブセットのうちの１つのサブセットでピア発見信号を送信することとを備える方法。
[Ｃ２]
前記第１の複数の同一リソースサブセットの各々は、前記第２の複数の同一リソースサブセットの各々とは異なる期間および異なる数のサブキャリアに広がっている、Ｃ１に記載の方法。
[Ｃ３]
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、Ｃ２に記載の方法。
[Ｃ４]
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、Ｃ１に記載の方法。
[Ｃ５]
前記１つのピア発見リソースグルーピングを使用することを前記決定することは、
第１のしきい値よりも大きいサービング基地局までの経路損失または距離を前記ワイヤレスデバイスが有するときに、前記第１の複数の同一リソースサブセットにおけるリソースを使用することを決定することと、
第２のしきい値よりも小さい前記サービング基地局までの経路損失または距離を前記ワイヤレスデバイスが有するときに、前記第２の複数の同一リソースサブセットにおけるリソースを使用することを決定することとを備える、Ｃ４に記載の方法。
[Ｃ６]
前記１つのピア発見リソースグルーピングを使用することを前記決定することは、
第１のしきい値よりも小さい近隣基地局までの経路損失または距離を前記ワイヤレスデバイスが有するときに、前記第１の複数の同一リソースサブセットにおけるリソースを使用することを決定することと、
第２のしきい値よりも大きい前記近隣基地局までの経路損失または距離を前記ワイヤレスデバイスが有するときに、前記第２の複数の同一リソースサブセットにおけるリソースを使用することを決定することとを備える、Ｃ４に記載の方法。
[Ｃ７]
基地局を動作させる方法であって、
複数のワイヤレスデバイスの各々までの経路損失または距離を判断することと、
前記ワイヤレスデバイスに、前記判断された経路損失または距離に基づいてピア発見リソースを使用するように前記ワイヤレスデバイスに命令する情報を送信することとを備える方法。
[Ｃ８]
しきい値よりも小さい経路損失または距離を有するワイヤレスデバイスに割り振られるリソースおよび前記しきい値よりも大きい経路損失または距離を有するワイヤレスデバイスに割り振られるリソースが、前記ピア発見リソースの時間同時リソースの各セットにわたってほぼ均等に分散されるように、前記ワイヤレスデバイスへの前記ピア発見リソースの割振りを分散することをさらに備える、Ｃ７に記載の方法。
[Ｃ９]
同時リソースの各セットの経路損失と距離とを合計して、前記同時リソースにわたって最大値の最小化または最小値の最大化のうちの少なくとも１つが実現されるようにすることをさらに備える、Ｃ７に記載の方法。
[Ｃ１０]
ワイヤレス通信のための装置であって、
基地局までの経路損失または距離のうちの１つに基づいて、複数のピア発見リソースグルーピングのうちの１つのピア発見リソースグルーピングを使用することを決定するための手段であって、前記複数のグルーピングは、第１の複数の同一リソースサブセットを有する第１のリソースグルーピングと、第２の複数の同一リソースサブセットを有する第２のリソースグルーピングとを備え、前記第１の複数の同一リソースサブセットの各々は、前記第２の複数の同一リソースサブセットの各々とは異なる期間または異なる数のサブキャリアのうちの少なくとも１つに広がっている、手段と、
前記１つのピア発見リソースグルーピングの前記同一サブセットのうちの１つのサブセットでピア発見信号を送信するための手段とを備える装置。
[Ｃ１１]
前記第１の複数の同一リソースサブセットの各々は、前記第２の複数の同一リソースサブセットの各々とは異なる期間および異なる数のサブキャリアに広がっている、Ｃ１０に記載の装置。
[Ｃ１２]
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、Ｃ１１に記載の装置。
[Ｃ１３]
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、Ｃ１０に記載の装置。
[Ｃ１４]
前記１つのピア発見リソースグルーピングを使用することを決定するための前記手段は、
第１のしきい値よりも大きいサービング基地局までの経路損失または距離を前記装置が有するときに、前記第１の複数の同一リソースサブセットにおけるリソースを使用することを決定することと、
第２のしきい値よりも小さい前記サービング基地局までの経路損失または距離を前記装置が有するときに、前記第２の複数の同一リソースサブセットにおけるリソースを使用することを決定することとを行うように構成される、Ｃ１３に記載の装置。
[Ｃ１５]
前記１つのピア発見リソースグルーピングを使用することを決定するための前記手段は、
第１のしきい値よりも小さい近隣基地局までの経路損失または距離を前記装置が有するときに、前記第１の複数の同一リソースサブセットにおけるリソースを使用することを決定することと、
第２のしきい値よりも大きい前記近隣基地局までの経路損失または距離を前記装置が有するときに、前記第２の複数の同一リソースサブセットにおけるリソースを使用することを決定することとを行うように構成される、Ｃ１３に記載の装置。
[Ｃ１６]
ワイヤレス通信のための装置であって、
複数のワイヤレスデバイスの各々までの経路損失または距離を判断するための手段と、
前記ワイヤレスデバイスに、前記判断された経路損失または距離に基づいてピア発見リソースを使用するように前記ワイヤレスデバイスに命令する情報を送信するための手段とを備える装置。
[Ｃ１７]
しきい値よりも小さい経路損失または距離を有するワイヤレスデバイスに割り振られるリソースおよび前記しきい値よりも大きい経路損失または距離を有するワイヤレスデバイスに割り振られるリソースが、前記ピア発見リソースの時間同時リソースの各セットにわたってほぼ均等に分散されるように、前記ワイヤレスデバイスへの前記ピア発見リソースの割振りを分散するための手段をさらに備える、Ｃ１６に記載の装置。
[Ｃ１８]
同時リソースの各セットの経路損失と距離とを合計して、前記同時リソースにわたって最大値の最小化または最小値の最大化のうちの少なくとも１つが実現されるようにするための手段をさらに備える、Ｃ１６に記載の装置。
[Ｃ１９]
処理システムを備える、ワイヤレス通信のための装置であって、前記処理システムは、
基地局までの経路損失または距離のうちの１つに基づいて、複数のピア発見リソースグルーピングのうちの１つのピア発見リソースグルーピングを使用することを決定することであって、前記複数のグルーピングは、第１の複数の同一リソースサブセットを有する第１のリソースグルーピングと、第２の複数の同一リソースサブセットを有する第２のリソースグルーピングとを備え、前記第１の複数の同一リソースサブセットの各々は、前記第２の複数の同一リソースサブセットの各々とは異なる期間または異なる数のサブキャリアのうちの少なくとも１つに広がっている、ことと、
前記１つのピア発見リソースグルーピングの前記同一サブセットのうちの１つのサブセットでピア発見信号を送信することとを行うように構成される、装置。
[Ｃ２０]
前記第１の複数の同一リソースサブセットの各々は、前記第２の複数の同一リソースサブセットの各々とは異なる期間および異なる数のサブキャリアに広がっている、Ｃ１９に記載の装置。
[Ｃ２１]
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、Ｃ２０に記載の装置。
[Ｃ２２]
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、Ｃ１９に記載の装置。
[Ｃ２３]
前記１つのピア発見リソースグルーピングを使用することを決定するために、前記処理システムは、
第１のしきい値よりも大きいサービング基地局までの経路損失または距離を前記装置が有するときに、前記第１の複数の同一リソースサブセットにおけるリソースを使用することを決定することと、
第２のしきい値よりも小さい前記サービング基地局までの経路損失または距離を前記装置が有するときに、前記第２の複数の同一リソースサブセットにおけるリソースを使用することを決定することとを行うように構成される、Ｃ２２に記載の装置。
[Ｃ２４]
前記１つのピア発見リソースグルーピングを使用することを決定するために、前記処理システムは、
第１のしきい値よりも小さい近隣基地局までの経路損失または距離を前記装置が有するときに、前記第１の複数の同一リソースサブセットにおけるリソースを使用することを決定することと、
第２のしきい値よりも大きい前記近隣基地局までの経路損失または距離を前記装置が有するときに、前記第２の複数の同一リソースサブセットにおけるリソースを使用することを決定することとを行うように構成される、Ｃ２２に記載の装置。
[Ｃ２５]
処理システムを備える、ワイヤレス通信のための装置であって、前記処理システムは、
複数のワイヤレスデバイスの各々までの経路損失または距離を判断することと、
前記ワイヤレスデバイスに、前記判断された経路損失または距離に基づいてピア発見リソースを使用するように前記ワイヤレスデバイスに命令する情報を送信することとを行うように構成される、装置。
[Ｃ２６]
前記処理システムは、しきい値よりも小さい経路損失または距離を有するワイヤレスデバイスに割り振られるリソースおよび前記しきい値よりも大きい経路損失または距離を有するワイヤレスデバイスに割り振られるリソースが、前記ピア発見リソースの時間同時リソースの各セットにわたってほぼ均等に分散されるように、前記ワイヤレスデバイスへの前記ピア発見リソースの割振りを分散することを行うようにさらに構成される、Ｃ２５に記載の装置。
[Ｃ２７]
前記処理システムは、同時リソースの各セットの経路損失と距離とを合計して、前記同時リソースにわたって最大値の最小化または最小値の最大化のうちの少なくとも１つが実現されるようにすることを行うようにさらに構成される、Ｃ２５に記載の装置。
[Ｃ２８]
コンピュータ可読媒体を備える、ワイヤレスデバイスにおけるコンピュータプログラム製品であって、前記コンピュータ可読媒体は、
基地局までの経路損失または距離のうちの１つに基づいて、複数のピア発見リソースグルーピングのうちの１つのピア発見リソースグルーピングを使用することを決定することであって、前記複数のグルーピングは、第１の複数の同一リソースサブセットを有する第１のリソースグルーピングと、第２の複数の同一リソースサブセットを有する第２のリソースグルーピングとを備え、前記第１の複数の同一リソースサブセットの各々は、前記第２の複数の同一リソースサブセットの各々とは異なる期間または異なる数のサブキャリアのうちの少なくとも１つに広がっている、ことと、
前記１つのピア発見リソースグルーピングの前記同一サブセットのうちの１つのサブセットでピア発見信号を送信することとを行うためのコードを備える、コンピュータプログラム製品。
[Ｃ２９]
前記第１の複数の同一リソースサブセットの各々は、前記第２の複数の同一リソースサブセットの各々とは異なる期間および異なる数のサブキャリアに広がっている、Ｃ２８に記載のコンピュータプログラム製品。
[Ｃ３０]
前記第１の複数の同一リソースサブセットの各々は、第１の期間および第１の数のサブキャリアに広がっており、前記第２の複数の同一リソースサブセットの各々は、第２の期間および第２の数のサブキャリアに広がっており、前記第１の期間は、前記第２の期間よりも短く、前記第１の数のサブキャリアは、前記第２の数のサブキャリアよりも多い、Ｃ２９に記載のコンピュータプログラム製品。
[Ｃ３１]
前記第１の複数の同一リソースサブセットの各々は、前記第２の複数の同一リソースサブセットの各々とは異なる数のサブキャリアに広がっており、前記第１の複数の同一リソースサブセットの各々は、第１の数のサブキャリアに広がっており、前記第２の複数の同一リソースサブセットの各々は、第２の数のサブキャリアに広がっており、前記第１の数のサブキャリアは、前記第２の数のサブキャリアよりも多い、Ｃ２８に記載のコンピュータプログラム製品。
[Ｃ３２]
前記１つのピア発見リソースグルーピングを使用することを前記決定することは、
第１のしきい値よりも大きいサービング基地局までの経路損失または距離を前記ワイヤレスデバイスが有するときに、前記第１の複数の同一リソースサブセットにおけるリソースを使用することを決定することと、
第２のしきい値よりも小さい前記サービング基地局までの経路損失または距離を前記ワイヤレスデバイスが有するときに、前記第２の複数の同一リソースサブセットにおけるリソースを使用することを決定することとを備える、Ｃ３１に記載のコンピュータプログラム製品。
[Ｃ３３]
前記１つのピア発見リソースグルーピングを使用することを前記決定することは、
第１のしきい値よりも小さい近隣基地局までの経路損失または距離を前記ワイヤレスデバイスが有するときに、前記第１の複数の同一リソースサブセットにおけるリソースを使用することを決定することと、
第２のしきい値よりも大きい前記近隣基地局までの経路損失または距離を前記ワイヤレスデバイスが有するときに、前記第２の複数の同一リソースサブセットにおけるリソースを使用することを決定することとを備える、Ｃ３１に記載のコンピュータプログラム製品。
[Ｃ３４]
コンピュータ可読媒体を備える、基地局におけるコンピュータプログラム製品であって、前記コンピュータ可読媒体は、
複数のワイヤレスデバイスの各々までの経路損失または距離を判断することと、
前記ワイヤレスデバイスに、前記判断された経路損失または距離に基づいてピア発見リソースを使用するように前記ワイヤレスデバイスに命令する情報を送信することとを行うためのコードを備える、コンピュータプログラム製品。
[Ｃ３５]
前記コンピュータ可読媒体は、しきい値よりも小さい経路損失または距離を有するワイヤレスデバイスに割り振られるリソースおよび前記しきい値よりも大きい経路損失または距離を有するワイヤレスデバイスに割り振られるリソースが、前記ピア発見リソースの時間同時リソースの各セットにわたってほぼ均等に分散されるように、前記ワイヤレスデバイスへの前記ピア発見リソースの割振りを分散することを行うためのコードをさらに備える、Ｃ３４に記載のコンピュータプログラム製品。
[Ｃ３６]
前記コンピュータ可読媒体は、同時リソースの各セットの経路損失と距離とを合計して、前記同時リソースにわたって最大値の最小化または最小値の最大化のうちの少なくとも１つが実現されるようにすることを行うためのコードをさらに備える、Ｃ３４に記載のコンピュータプログラム製品。
【図１】
0005752857.tif 000002
【図２】
0005752857.tif 000003
【図３】
0005752857.tif 000004
【図４】
0005752857.tif 000005
【図５】
0005752857.tif 000006
【図６】
0005752857.tif 000007
【図７】
0005752857.tif 000008
【図８】
0005752857.tif 000009
【図９】
0005752857.tif 000010
【図１０】
0005752857.tif 000011
【図１１】
0005752857.tif 000012
【図１２】
0005752857.tif 000013
【図１３】
0005752857.tif 000014
【図１４】
0005752857.tif 000015
【図１５】
0005752857.tif 000016
【図１６】
0005752857.tif 000017
【図１７】
0005752857.tif 000018